(57)【特許請求の範囲】
【請求項１】
横柵の端部に、該端部からの突出長さを調整可能とするように結合軸部が設けられ、
この結合軸部の先端に、該結合軸部の端面及び上下両面に開口する縦スリットが形成され、
この縦スリットの縦幅を越えない短軸寸法と、該縦幅よりも十分に大きい長軸寸法とを有する細長い形状の係合プレートが、その中心付近に遊挿されて前記縦スリットと直交する方向に取り付けられる軸ピンを介して、前記縦スリット内に回動可能に軸支される一方、
中空の管材からなる支柱の側面には前記結合軸部の断面形状に略合致する取付孔が形成され、
この取付孔に、前記結合軸部の端部が、少なくとも前記係合プレートを含む部分まで挿入され、
前記支柱の内側にて前記係合プレートがその長軸を縦向きにする姿勢で保持されることにより、前記係合プレートの長軸両端部が前記支柱内面の前記取付孔周縁に係合して、前記横柵が前記支柱に、抜け出し不能に結合される防護柵において、
前記結合軸部の後端が前記横柵本体の内側に挿入されて、前記横柵本体の内面に固着された摺動台座上を横柵の軸芯方向に摺動し得るように保持されるとともに、
前記摺動台座には前記横柵本体の軸芯と平行に延びる案内孔が形成され、
前記横柵本体の下部には前記案内孔よりも幅広のボルト収装孔が形成され、
前記結合軸部には結合軸部を上下方向に貫通する雌ネジ孔が形成されて、該雌ネジ孔に前記摺動台座の下側から固定用ボルトが螺着され、
前記固定用ボルトの頭部が前記横柵本体のボルト収装孔内に収装されて前記摺動台座の下面側に締め付けられることにより、前記結合軸部の摺動が拘束されることを特徴とする防護柵。
【発明の詳細な説明】
【技術分野】
【０００１】
本発明は、道路等に設置される防護柵に関し、より詳細には、防護柵を構成する支柱と横柵との結合構造に特徴を有する防護柵に関する。
【背景技術】
【０００２】
道路や敷地の境界等に沿って設置される一般的な防護柵は、適宜間隔で列設される多数本の支柱と、それら支柱列の間に架け渡される横柵（ビーム）とによって構成される。かかる防護柵における支柱と横柵との結合構造は、支柱列の片側面に取り付けたブラケット状の継手部材を介して横柵が連続するように保持される方式と、隣接する支柱の対向側面に設けた取付孔に各横柵の端部を挿入して固定することにより、横柵が支柱列の区間毎に途切れるように保持される方式と、の２種類に大別される。後者の方式に係る主な従来技術としては、特許文献１〜３に記載されたものが公知である。
【０００３】
特許文献１に記載された支柱と横柵との結合構造は、支柱の側面に形成した取付孔に略筒状のブッシュが嵌め込まれるとともに、横柵の端部には、その上下面に形成された孔部からスプリングによって弾性的に突出するピン状の結合能動係止体が設けられ、該結合能動係止体を押し込んだ状態で横柵の端部をブッシュに挿入すると、結合能動係止体が突出してブッシュから抜けなくなるように構成されている。
【０００４】
特許文献２に記載された支柱と横柵との結合構造は、支柱の側面に形成した取付孔に横柵の端部が挿し込まれ、頭部をＬ字状に折曲した抜け防止ピンが、横柵の端部に形成した丸孔に、支柱内側の上方から落とし込まれることによって横柵が支柱から抜けなくなるように構成されている。
【０００５】
特許文献３に記載された支柱と横柵との結合構造は、横柵の端部に取り付けられる連結部材の軸部に、所定間隔をおいて係合片と掴部とを一体的に設け、支柱の側面に形成した縦長の取付孔に軸部先端の係合片を挿入し、軸部基端側の掴部を約９０度軸周りに回動させて係合片を横向きにすると、係合片が縦長の取付孔に係止して支柱から抜け出せなくなるように構成されている。
【先行技術文献】
【特許文献】
【０００６】
【特許文献１】実開昭５７−１３７６２５号公報
【特許文献２】特開平８−９２９２５号公報
【特許文献３】実開平７−３４０１９号公報
【発明の概要】
【発明が解決しようとする課題】
【０００７】
前記従来技術のうち特許文献１に記載された支柱と横柵との結合構造は、横柵の端部を支柱の取付孔に挿入する作業は簡単であるが、一旦、挿入するとピン状の結合能動係止体が支柱の内側で突出したままになるので、これを再度、横柵の端部内に没入させようとしても、支柱の内側でそのような操作を行うことがきわめて難しい。そのため、例えば車両の衝突等により防護柵が破損した場合、破損箇所の支柱と横柵とを取り外して交換するのが困難であり、防護柵の修理作業が大がかりになりかねない。
【０００８】
また、特許文献２に記載された支柱と横柵との結合構造は、支柱の取付孔に横柵の端部を挿入した後、支柱の上部開口から支柱の内側を覗き込みつつ抜け防止ピンを落とし込んで、横柵の端部に形成した丸孔に挿入する、という作業を要する。したがって、複数本の横柵が上下方向に並べて架け渡される場合、特に下方の横柵に抜け防止ピンを挿入するのがきわめて難しくなる。
【０００９】
また、特許文献３に記載された支柱と横柵との結合構造は、先端に係合片を設けた連結部材の軸部を支柱の取付孔に挿入して、連結部材の基端側を捻るだけで、連結部材が簡単に支柱と結合されるものの、再度、連結部材を掴んで捻れば、係合片と支柱の取付孔の向きが合致して、連結部材が簡単に支柱から取り外されてしまう。したがって、第三者が勝手に横柵を取り外すことも容易であり、そのようないたずらで危険が生じるおそれがある。
【００１０】
さらに、前記各特許文献に記載された支柱と横柵との結合構造は、いずれも、支柱間距離と横柵の長さとの間の融通性が乏しいので、数ミリ程度の寸法誤差によって支柱と横柵との結合が困難にもなりかねない。また、防護柵を設置した地盤が後から変形した場合に、その変形を結合部位で吸収できずに、防護柵全体が損傷するおそれもある。
【００１１】
本発明は前述のような事情に鑑みてなされたものであって、
（１）設置時においては支柱と横柵との結合に面倒な作業を要しないこと、
（２）支柱間距離と横柵の長さとの間に数ミリ以上の寸法誤差があっても、それを無理なく吸収して支柱と横柵とを結合できるような融通性を備えること、
（３）一旦、支柱に結合された横柵は、第三者が容易には取り外せないこと、
（４）ただし、結合後であっても、必要があれば特殊な操作によって比較的簡単に、支柱から横柵を取り外すことができること、
これらの条件を満たし得るような防護柵を提供することを目的とする。
【課題を解決するための手段】
【００１２】
本発明の防護柵は、横柵の端部に、該端部からの突出長さを調整可能とするように結合軸部が設けられ、この結合軸部の先端に、該結合軸部の端面及び上下両面に開口する縦スリットが形成され、この縦スリットの縦幅を越えない短軸寸法と、該縦幅よりも十分に大きい長軸寸法とを有する細長い形状の係合プレートが、その中心付近に遊挿されて前記縦スリットと直交する方向に取り付けられる軸ピンを介して、前記縦スリット内に回動可能に軸支される一方、中空の管材からなる支柱の側面には前記結合軸部の断面形状に略合致する取付孔が形成され、この取付孔に、前記結合軸部の端部が、少なくとも前記係合プレートを含む部分まで挿入され、前記支柱の内側にて前記係合プレートがその長軸を縦向きにする姿勢で保持されることにより、前記係合プレートの長軸両端部が前記支柱内面の前記取付孔周縁に係合して、前記横柵が前記支柱に、抜け出し不能に結合されることを前提とする。
【００１５】
そして、結合軸部の突出長さを調整可能とするための具体的構成としては、前記結合軸部の後端が前記横柵本体の内側に挿入されて、前記横柵本体の内面に固着された摺動台座上を横柵の軸芯方向に摺動し得るように保持されるとともに、前記摺動台座には前記横柵本体の軸芯と平行に延びる案内孔が形成され、前記横柵本体の下部には前記案内孔よりも幅広のボルト収装孔が形成され、前記結合軸部には結合軸部を上下方向に貫通する雌ネジ孔が形成されて、該雌ネジ孔に前記摺動台座の下側から固定用ボルトが螺着され、前記固定用ボルトの頭部が前記横柵本体のボルト収装孔内に収装されて前記摺動台座の下面側に締め付けられることにより、前記結合軸部の摺動が拘束されることを特徴とする。
【発明の効果】
【００１６】
上述のような本発明の構成によれば、結合軸部の先端に取り付けた係合プレートを横向きにした状態で、結合軸部を支柱の取付孔に挿入し、係合プレートを縦向きにするだけで、横柵と支柱とをきわめて簡単に結合することができる。この結合作業に特殊な工具等は要しない。
【００１７】
支柱の内径と結合軸部の挿入深さや係合プレートの寸法を適切に設定すれば、支柱間距離と横柵の長さとの間に数ミリ程度の寸法誤差があっても、支柱と横柵とを無理なく結合することができる。結合軸部を横柵本体とは別体に形成して、横柵本体の端部からの突出長さを調整可能とすれば、寸法的な融通性はさらに大きくなる。支柱の取付孔と結合軸部との間に適当なクリアランスを設けておけば、横柵が上下方向や横方向に傾斜する結合形態にも柔軟に対応することができる。これらにより、防護柵を坂道や曲路に設置するのが容易になる。また、防護柵を設置した後の地盤の変形や大きな衝撃も吸収されやすくなる。
【００１８】
さらに、本発明の構成によれば、一旦、支柱に結合された横柵は、係合プレートを横向きにしない限り支柱からは外れない。支柱の外側から係合プレートに触れることはできないので、第三者が勝手に横柵を取り外すようないたずらは確実に防ぐことができる。
【００１９】
万一、防護柵の損傷や劣化等によって、横柵を支柱から再度、取り外す必要が生じた場合には、支柱の頂部を塞ぐ部材を外し、支柱の内側から細長い棒状の操作具で係合プレートを横倒しにすることにより、横柵の結合軸部を支柱の取付孔から抜き出すことができる。
【００２０】
これらの作用効果により、防護柵の施工性及び維持管理面での容易性が大幅に改善される。
【図面の簡単な説明】
【００２１】
【図１】本発明の第１実施形態に係る防護柵の要部の構造を示す一部切欠き正面図である。
【図２】同じく、一部切欠き上面図である。
【図３】同じく、横柵端部の底面図である。
【図４】同じく、横柵端部のＡ−Ａ断面図である。
【図５】同じく、横柵端部の一部切欠き斜視図である。
【図６】本発明の第２実施形態に係る防護柵の要部の構造を示す一部切欠き正面図である。
【図７】同じく、一部切欠き上面図である。
【発明を実施するための形態】
【００２２】
以下、本発明の実施の形態について図を参照して説明する。
【００２３】
［第１実施形態］
図１〜図５は本発明の第１実施形態に係る防護柵１を示す。この防護柵１は、支柱２を正面から見て、その左右両側方にそれぞれ上下２段の横柵３が略水平に結合されるように構成されている。ただし、本発明において、１本の支柱２に結合される横柵３の段数や向きは特に限定されない。
【００２４】
［支柱］
支柱２は、適宜形状（例示形態では円形）の断面を有する中空の金属製管材からなり、その左右両側面の適所には横柵３を結合するための取付孔２１が形成されている。取付孔２１の形状は、後述する横柵３の結合軸部４の断面形状（例示形態では正方形）に略合致するように形成されている。
【００２５】
なお、本発明において、支柱２は、脚部が地中に埋設されて常時、固定されたもの、脚部に重しが取り付けられて任意の場所に据え置かれるもの、不使用時には地表の取付部材から取り外され、或いは地中の収納筒内に落とし込んで収納されるのもの、などのいずれであってもよい。
【００２６】
［横柵］
横柵３は、横柵本体３０と、その端部に設けられた結合軸部４とによって構成される。横柵本体３０は、適宜形状（例示形態では円形）の断面を有する中空の金属製管材からなり、その長さが支柱間距離よりも数センチないし十数センチ程度、短めに切寸されている。横柵本体３０の端面には、横柵本体３０の断面形状に略合致する封端板３１が、溶接等によって固着されている。この封端板３１の中心付近には、後述する結合軸部４の断面形状（例示形態では正方形）に略合致する挿通孔３２が形成されている。
【００２７】
結合軸部４は、横柵本体３０よりも小さい断面を有する中実の金属製棒材、又は中空の金属製管材からなる。例示形態では、強度的な観点から中実の棒材が採用されている。結合軸部４の断面形状は、横柵３が軸周りに回動するのを阻む意味で円形よりも非円形であるほうが好ましく、例示形態では正方形が採用されている。
【００２８】
結合軸部４の先端には、その端面及び上下両面に開口する１条の縦スリット４１が、結合軸部の軸芯上に形成されている。そして、この縦スリット４１内に、細長い係合プレート４２が、軸ピン４３を介して回動可能に取り付けられる。係合プレート４２は、略長方形ないし略長円形（例示形態では角丸長方形）の正面形状を有する薄い金属板片であって、その短軸寸法が縦スリット４１の縦幅（縦スリット４１に沿う方向の外形幅）を越えず、かつ、長軸寸法が縦スリット４１の縦幅よりも十分に大きくなるように形成されている。
【００２９】
軸ピン４３は、係合プレート４２の中心付近に遊挿されて、縦スリット４１と直交するように結合軸部４を貫通し、その両端が結合軸部４に固着される。これにより、係合プレート４２は、縦スリット４１内で縦方向に回動し得るように保持される。厳密には、軸ピン４３の遊挿位置は、係合プレート４２の重心から僅かに係合プレート４２の長軸方向に偏倚した位置に設定される。これにより、係合プレート４２は、自然な状態では勝手に縦向きになって、係合プレート４２の長軸両端が結合軸部４の上下に突出することとなる。
【００３０】
結合軸部４の後端（支柱２から遠い側）は、封端板３１に形成された挿通孔３２を通じて横柵本体３０の内側に挿入され、横柵本体３０の端部近傍内面に固着された摺動台座５上を、横柵３の軸芯方向に摺動し得るように保持される。
【００３１】
摺動台座５は金属板材を折曲するなどして形成された部材で、上面視略長方形の平坦な摺動案内部５１と、その両短辺縁から下向きに延設された脚部５２、５３とを有する。摺動案内部５１の長手方向を横柵本体３０の軸芯と平行にして、両脚部５２、５３を横柵本体３０の内側に固定すると、摺動案内部５１の上面が、封端板３１に形成された挿通孔３２の下縁と同一面に保持される。
【００３２】
摺動台座５を横柵本体３０に固定するための構造として、例示形態では、横柵本体３０の端部を封端板３１で塞ぐ前に、横柵本体３０の端部に近い側の脚部５２を横柵本体３０の下部内周面に溶接し、横柵本体３０の端部から遠い側の脚部５３は、横柵本体３０の下部に形成した溝孔３３（図３参照）に嵌め込んで横柵本体３０の外側から溶接する、という構造を採用している。ただし、本発明において、摺動台座５の固定構造は、これに限定されるものではない。
【００３３】
摺動台座５の摺動案内部５１には、横柵本体３０の軸芯と平行に延びる長孔状の案内孔５４が形成されている。さらに、横柵本体３０の下部にも、前記案内孔５４よりやや幅広の長孔状をなすボルト収装孔３４が、前記案内孔５４と上下方向に重なるようにして形成されている。一方、結合軸部４の後端近傍には、軸芯方向に適宜の距離をおいて、２ヶ所の雌ネジ孔４４が、結合軸部４を上下方向に貫通するように形成されている。これらの雌ネジ孔４４には、摺動台座５の下側から固定用ボルト６がそれぞれ螺着される。固定用ボルト６は六角穴付きの円柱形頭部を有するボルトで、この頭部が横柵本体３０に形成されたボルト収装孔３４の内側に収装されるとともに、摺動台座５に形成された案内孔５４の下面側に当接する。この固定用ボルト６を緩めて結合軸部４を適当な位置まで摺動させ、固定用ボルト６を締め付けて結合軸部４の摺動を拘束することにより、結合軸部４の突出長さが調整可能となる。
【００３４】
［支柱との着脱］
このように構成された横柵３は、次のようにして支柱２に着脱される。
【００３５】
横柵３を支柱２に結合する場合は、予め固定用ボルト６を緩めて結合軸部４を摺動可能にしておく。そして、係合プレート４２を、結合軸部４の先端と揃えるように横向きにし、そのまま係合プレート４２が回動しないように指で押えながら、係合プレート４２と結合軸部４の先端を支柱２の取付孔２１に挿入する。係合プレート４２が支柱２の内側まで完全に挿入されたら、係合プレート４２は自然に縦向きになるので、そのままでも結合軸部４は支柱２から抜けなくなる。
【００３６】
次いで、横柵本体３０からの結合軸部４の突出長さを調整し、適正に調整されたならば、横柵本体３０の下方から六角レンチ等を用いて固定用ボルト６を締める。これで、支柱２への結合は完了である。
【００３７】
支柱２から横柵３を取り外す場合は、予め横柵本体３０の下方から六角レンチ等を用いて固定用ボルト６を緩めておく。そして、支柱２の頂部を塞いでいる擬宝珠やキャップ部材等（図示せず）を取り外し、支柱２の内側を上方から覗きながら、細長い適当な棒状の工具等を用いて、係合プレート４２を横向きに倒しつつ、支柱２の外側から結合軸部４を引き出す。こうして、必要があれば比較的簡単に、横柵３を支柱２から取り外すことができる。
【００３８】
このように構成される本発明の防護柵１は、横柵３と支柱２との結合作業がきわめて簡単であり、しかも、一旦、結合されたら、係合プレート４２を横向きにしない限り横柵３が支柱２から外れない。支柱２の外側から係合プレート４２に触れることはできないので、第三者が勝手に横柵３を取り外すようないたずらは確実に防ぐことができる。
【００３９】
結合軸部４には、数センチ〜十数センチ程度の出没ストロークを設けることができるので、支柱間距離と横柵３の長さとの間に相当程度の寸法誤差があっても、横柵３を無理なく支柱２に結合することができる。支柱２の取付孔２１の内寸と結合軸部４の外寸との間にも適切なクリアランスを確保しておけば、支柱２に対し横柵３が上下方向や横方向に多少傾斜するような結合形態にも無理なく対応することができるので、坂道や曲路への設置が一層、容易になる。
【００４０】
結合軸部４の突出長さを調整する場合も、六角レンチで固定用ボルト６を締め付けるだけで足りる。固定用ボルト６は横柵３の下面側から操作するように配置されているので、いたずらされにくく、また、雨にも濡れにくい。
【００４１】
横柵３を支柱２から取り外す必要が生じた場合には、支柱２の頂部を塞ぐ部材を外し、支柱２の内側から細長い棒状の操作具等を用いて係合プレート４２を横倒しにすることにより、横柵３の結合軸部４を支柱２の取付孔２１から抜き出すことができる。
【００４２】
［第２実施形態］
図６〜図７は本発明の第２実施形態に係る防護柵１を示す。この防護柵１は、結合軸部４の先端部分の構成が前記第１実施形態とは若干、相違している。その他の部分の構成は、前記第１実施形態と共通である。
【００４３】
結合軸部４は略正方形断面をなし、その先端には縦スリット４１が形成されるが、この縦スリット４１の基端側略半部には被覆部４５が設けられている。被覆部４５は、結合軸部４の上面側の材肉を薄く残すようにして結合軸部４の上面と面一になるように形成され、縦スリット４１の上面開口の基端側略半部を塞いでいる。
【００４４】
この被覆部４５が設けられることにより、係合プレート４２の回動範囲は約２７０度に規制される。係合プレート４２を横向きにしたとき、係合プレート４２の縦幅が結合軸部４の縦幅内に納まるように、係合プレート４２の一方の長辺縁は、先端側の一部を残し、被覆部４５の厚みに合わせて削ぎ取られている。軸ピン４３は、係合プレート４２が、自然な状態では削ぎ取られた側を下にして縦向きになる位置に取り付けられている。
【００４５】
この結合軸部４を支柱２に結合する場合も、係合プレート４２を横向きにして結合軸部４の先端と揃え、そのまま係合プレート４２が回動しないように指で押えながら、係合プレート４２と結合軸部４の先端を支柱２の取付孔２１に挿入する。係合プレート４２が支柱２の内側まで完全に挿入されたら、係合プレート４２は自然に縦向きになって、結合軸部４が支柱２から抜けなくなる。
【００４６】
この第２実施形態によれば、図７の左図に示すように、結合軸部４が支柱２に結合された状態で結合軸部４の上面に縦スリット４１が見えなくなるので、外観の意匠性が向上する。また、縦スリット４１が見えなくなることにより、支柱２との結合構造が把握されにくくなるので、第三者によるいたずら等を防止する効果も高まる。
【符号の説明】
【００４７】
１  防護柵
２  支柱
２１  取付孔
３  横柵
３０  横柵本体
３４  ボルト収装孔
４  結合軸部
４１  縦スリット
４２  係合プレート
４３  軸ピン
４４  雌ネジ孔
４５  被覆部
５  摺動台座
５４  案内孔
６  固定用ボルト
【図１】
0005824303.tif 000002
【図２】
0005824303.tif 000003
【図３】
0005824303.tif 000004
【図４】
0005824303.tif 000005
【図５】
0005824303.tif 000006
【図６】
0005824303.tif 000007
【図７】
0005824303.tif 000008